(57)【特許請求の範囲】
【請求項１】
２本の前椅子脚（２、３）と、２本の後椅子脚（４、５）と、２本の前椅子アーム（６、７）と、２本の後椅子アーム（８、９）とを含み、前記前椅子脚（２、３）及び前記後椅子脚（４、５）は各々、基面（１０）に向かって配向される自由端（２ａ、３ａ、４ａ、５ａ）を有し、前記前椅子アーム（６、７）及び後椅子アーム（８、９）は各々、座面（１１）に向かって配向される自由端（８ｃ、９ｃ）を有し、前記座面（１１）は、前記前椅子アーム（６、７）の自由端（６ａ、７ａ）及び前記後椅子アーム（８、９）の自由端（８ｃ、９ｃ）にわたって架設されることが可能である、又は架設されている、可搬型椅子（１）であって、前記前椅子脚（２、３）及び前記前椅子アーム（６、７）は、第１の前側接続要素（１２）に及び／又は第１の前側接続要素（１２）の中に締結され、前記後椅子脚（４、５）及び前記後椅子アーム（８、９）は、第２の後側接続要素（１３）に及び／又は第２の後側接続要素（１３）の中に締結され、前記第１の前側接続要素（１２）は、少なくとも２つの接続ロッド（１４、１５）により前記第２の後側接続要素（１３）に接続され
第２の接続ロッド（１５）が第１の接続ロッド（１４）に対して平行かつ上方に配置され、
前記接続要素（１２、１３）は、それぞれ一体型に構成され、
前記第１の前側接続要素（１２）及び前記第２の後側接続要素（１３）は各々、２本の椅子脚（２、３／４、５）を受容するためのそれぞれ２個の下管状スリーブ（２６、２７／３０、３１）と、２本の椅子アーム（６、７／８、９）を受容するための２個の上管状スリーブ（２８、２９／３２、３３）とを有し、前記第１の前側接続要素（１２）及び前記第２の後側接続要素（１３）は、前記接続要素（１２、１３）の第１の側（２２、２４）から第２の側（２３、２５）に延在し、重ねて配置され、前記第１の下側接続ロッド（１４）及び前記第２の上側接続ロッド（１５）を受容するためのそれぞれ２個の中心管状スリーブ（３４、３５／３６、３７）を有し、
前記椅子アーム（６、７、８、９）のための前記上管状スリーブ（２８、２９、３２、３３）は、その下端部が第１の下側補強リブ（３８）により互いに接続され、その上端部が第２の上側補強リブ（３９）により互いに接続され、前記椅子脚（２、３、４、５）のための前記下管状スリーブ（２６、２７、３０、３１）は、前記補強リブ（３８、３９）のうち少なくとも１つに一体的に形成されることを特徴とする、可搬型椅子（１）。
【請求項２】
前記前椅子脚（２、３）及び前記後椅子脚（４、５）並びに前記前椅子アーム（６、７）及び前記後椅子アーム（８、９）は各々、管状部として設計され、前記２本の前椅子脚（２、３）は、第１の弾性コード（１６）により互いに接続され、前記２本の後椅子脚（４、５）は第２の弾性コード（１７）により互いに接続され、前記２本の前椅子アーム（６、７）は第３の弾性コード（１８）により互いに接続され、前記２本の後椅子アーム（８、９）は第４の弾性コード（１９）により互いに接続される、請求項１に記載の椅子（１）。
【請求項３】
前記弾性コード（１６、１７、１８、１９）は、各々が前記２本の前椅子脚（２、３）同士、又は前記２本の前椅子アーム（６、７）同士、又は前記２本の後椅子脚（４、５）同士、又は前記２本の後椅子アーム（８、９）同士を接続し、互いに接続されたそれぞれの前記２本の椅子脚（２、３／４、５）又は椅子アーム（６、７／８、９）のそれぞれの管状部を通るように案内され、互いに接続されたそれぞれの管状部間のそれぞれの前側又は後側接続要素（１２、１３）を通るように案内され、そこで曲げられることを特徴とする、請求項２に記載の椅子（１）。
【請求項４】
各々、２本の弾性コード（１６、１８／１７、１９）が前記第１の前側接続要素（１２）内及び前記第２の後側接続要素（１３）内に案内されて曲げられることを特徴とする、請求項３に記載の椅子（１）。
【請求項５】
前記第１の弾性コード（１６）及び前記第３の弾性コード（１８）は、前記前側接続要素（１２）内に案内され、前記第２の弾性コード（１７）及び前記第４の弾性コード（１９）は、前記後側接続要素（１３）内に案内されることを特徴とする、請求項４に記載の椅子（１）。
【請求項６】
前記前椅子脚（２、３）は互いに第１の鋭角（α１）に配置され、前記後椅子脚（４、５）は互いに第２の鋭角（β１）に配置されることを特徴とする、請求項１〜５のいずれか一項に記載の椅子（１）。
【請求項７】
前記前椅子脚（２、３）間の第１の鋭角（α１）と、前記後椅子脚（４、５）間の第２の鋭角（β１）が、５０〜８０度であることを特徴とする、請求項６に記載の椅子（１）。
【請求項８】
前記前椅子アーム（６、７）が、互いに第３の鋭角（α２）に配置され、ただし該第３の鋭角（α２）は、前記前椅子脚（２、３）間に規定される前記第１の鋭角（α１）よりも大きいことを特徴とする、請求項６に記載の椅子（１）。
【請求項９】
前記後椅子アーム（８、９）は互いに第４の鋭角（β２）に配置され、前記後椅子アーム（８、９）間の前記第４の鋭角（β２）は、前記前椅子アーム（６、７）間に規定される第３の鋭角（α２）よりも小さいことを特徴とする、請求項６に記載の椅子（１）。
【請求項１０】
基面（１０）に向かって下向きに配向され、椅子脚（２、３、４、５）を受容するのに適している前記下管状スリーブ（２６、２７、３０、３１）の第１の開口部（２６ａ、２７ａ、３０ａ、３１ａ）は、それぞれ、前記下管状スリーブ（２６、２７、３０、３１）の上向きに配向される第２の開口部（２６ｂ、２７ｂ、３０ｂ、３１ｂ）よりも大きく、座面（１１）に向かって上向きに配向され、椅子アーム（６、７、８、９）を受容するのに適している前記上管状スリーブ（２８、２９、３２、３３）の第２の開口部（２８ｂ、２９ｂ、３２ｂ、３３ｂ）は、それぞれ、前記上管状スリーブ（２８、２９、３２、３３）の前記第１の下向きに配向される開口部（２８ａ、２９ａ、３２ａ、３３ａ）よりも大きく、前記下管状スリーブ（２６、２７、３０、３１）の前記第２の上側開口部（２６ｂ、２７ｂ、３０ｂ、３１ｂ）及び前記上管状スリーブ（２８、２９、３２、３３）の前記第１の下側開口部（２８ａ、２９ａ、３２ａ、３３ａ）は、それぞれ、弾性コード（１６、１７、１８、１９）を通すのに適しており、該弾性コードは各々、２本の椅子脚（２、３／４、５）又は２本の椅子アーム（６、７／８、９）を互いに接続する、請求項１〜９のいずれか一項に記載の椅子（１）。
【請求項１１】
前記後椅子アーム（８、９）は前記前椅子アーム（６、７）よりも長く、前記後椅子アーム（８、９）は、少なくとも２個の管状部（８ａ、８ｂ／９ａ、９ｂ）からなり、該２個の管状部は、伸縮自在であり、及び／又は互いに挿入可能であり、調整要素（４１）により互いに接続されることを特徴とする、請求項１〜１０のいずれか一項に記載の椅子（１）。
【請求項１２】
前記調整要素は、前記後椅子アーム（８、９）の第１の下側管状部（８ａ、９ａ）により下側領域（４１ａ）が受容され、前記後椅子アーム（８、９）の上側管状部（８ｂ、９ｂ）により上側領域（４１ｂ）が受容されることを特徴とする、請求項１１に記載の椅子（１）。
【請求項１３】
前記調整要素（４１）は、弾性コード（１９）を受容するのに適している軸方向貫通開口部（４９）を有することを特徴とする、請求項１１に記載の椅子（１）。
【請求項１４】
前記椅子脚（２、３、４、５）は、前記基面（１０）に面するその自由端（２ａ、３ａ、４ａ、５ａ）に終端ストップ（４２）を有することを特徴とする、請求項１〜１３のいずれか一項に記載の椅子（１）。
【請求項１５】
弾性コード（１６、１７）の自由端（１６ａ、１６ｂ、１７ａ、１７ｂ）を、前記終端ストップ（４２）の上及び／又は中に締結することができることを特徴とする、請求項１４に記載の椅子（１）。
【請求項１６】
前記終端ストップ（４２）は、前記基面（１０）に面するその端部がフット（４４）の中及び／又は上に締結されることを特徴とする、請求項１４に記載の椅子（１）。
【請求項１７】
前記椅子（１）は、前記椅子（１）に付属品を締結するのに適した補足的な留め手段となる面ファスナ帯片を備える少なくとも１つの締結領域を有することを特徴とする、請求項１〜１６のいずれか一項に記載の椅子（１）。
【請求項１８】
前記座面（１１）は、片側又は両側が被覆された又は被覆されない、天然繊維織及び／又は合成繊維から製造される織布から構成されることを特徴とする、請求項１〜１７のいずれか一項に記載の椅子（１）。
【請求項１９】
前記織布は、場所によって編み目の大きさが異なり、前記座面（１１）の少なくとも１つの領域は、通気性のあるメッシュの織布からなることを特徴とする、請求項１８に記載の椅子（１）。
【請求項２０】
前記椅子（１）は折り畳み式椅子であり、折り畳んだ状態では、前記椅子アーム（６、７、８、９）及び椅子脚（２、３、４、５）は、前記接続要素（１２、１３）に及び／又は前記接続要素（１２、１３）の中に固定して締結された、又は前記接続要素（１２、１３）に及び／又は前記接続要素（１２、１３）の中に取外し可能に締結される前記接続ロッド（１４、１５）に沿って延在することを特徴とする、請求項１〜１９のいずれか一項に記載の椅子（１）。
【発明の詳細な説明】
【技術分野】
【０００１】
本発明は、可搬型折り畳み式椅子に関し、特に例えばキャンピング、ハイキング等に用いる屋外用の折り畳み式椅子に関する。
【背景技術】
【０００２】
アウトドア業界では、特に折り畳み式椅子、テーブル、ベッド等の軽量型の家具が非常に人気である。ＵＳ５，７０９，４２８は、直角に回転し容易に取外し可能な締結具により接続部分上に装着される支柱ロッドを備える折り畳み式椅子を開示する。この場合、椅子脚及び椅子アームはいずれも、別々に鳩目を介してそれぞれ１本の弾性コードにより接続部分に締結される。そのような椅子の製造は費用がかかり、別々に締結される脚及びアーム並びに個々の支柱ロッドのせいで、特に体重が重い場合安定性が不十分である。
【先行技術文献】
【特許文献】
【０００３】
【特許文献１】ＵＳ５，７０９，４２８
【発明の概要】
【０００４】
本発明の目的は、より大きい内部的安定性をし、体重の重い人の使用にも適した、改良された折り畳み式椅子を提供することである。該椅子は、製造が容易である一方で、容易に組立てと折り畳みとが可能であるように企図される。さらに、該椅子は、できるだけ小さい荷造りサイズになるように企図される。
【０００５】
この目的は、請求項１に記載の椅子により達成される。
【０００６】
この発明に従う可搬型椅子は、２本の前椅子脚と、２本の後椅子脚と、２本の前椅子アームと、２本の後椅子アームとを有する。ここで、前椅子脚及び後椅子脚は各々、それぞれ基面に向かって及び／又は地面に向かって下向きに、即ち座面から離れるように配向される自由端を有する。前椅子アーム及び後椅子アームは各々、座面に向かって及び／又は上向きに配向される自由端を有する。この座面は、前椅子アームの自由端と後椅子アームの自由端とにわたって跨ることが可能であり、及び／又は跨っている。この場合の座面は、織布生地又は織地又は編地により形成されてもよく、例えば、その角部のポケットにより上記自由端に被せられてもよく、又は布地上の成形部（例えば、尖状部又はプラスチックもしくは皮からなるキャップ）により上記自由端に締結されてもよい。この場合、椅子の組立て時に別個の要素として布地を装着することも可能である。取外し可能な締結の代わりに、座面は、上記自由端に固定装着されてもよく、折り畳み時に、椅子アーム及び椅子脚とともに折り畳まれてもよい。座面の材料としては、片面もしくは両面が被覆された又は被覆されていない、天然繊維及び／又は合成繊維から製造される織生地が可能である。織布生地は、織り密度により場所によって編み目の大きさが異なってもよい。好ましくは、座面の少なくとも１つの領域、好ましくは複数個の領域が通気性のあるメッシュの織布生地から構成される。
【０００７】
この発明に従えば、前椅子脚及び前椅子アームは、第１の前側接続要素に及び／又は第１の前側接続要素の中に締結され、後椅子脚及び後椅子アームは、第２の後側接続要素に及び／又は第２の後側接続要素の中に締結される。
【０００８】
上記第１の前側接続要素は、少なくとも１つの（第１の）接続ロッドにより第２の後側接続要素に接続される。特に好ましい例示の実施形態に従えば、該椅子は、第１の前側接続要素を第２の後側接続要素に接続する２本の接続ロッドを有する。この場合、２本の接続ロッドは、好ましくは、互いに平行に上下に配置され、第２の接続ロッドは、第１の接続ロッドに対して平行に第１の接続ロッドの上に配置される。しかしながら、２本より多い接続ロッド、例えば３本以上の接続ロッドを千鳥型配列で、又は２個の接続要素間の安定性を向上させる配置で設けることも可能である。また、安定性を向上させるために、接続ロッドは、例えば円形、楕円形、角形状、特に長方形又は正方形の断面に対応する断面を有してもよい。これは、前椅子脚及び後椅子脚並びに前椅子アーム及び後椅子アームが各々管状部として設計される場合、特に好都合である。好ましくは、２本の前椅子脚は、該２本の椅子脚の２本の管状部を通る第１の弾性コードにより互いに接続される。同様に、２本の後椅子脚は、好ましくは、第２の弾性コードにより互いに接続され、２本の前椅子アームは第３の弾性コードにより互いに接続され、２本の後椅子アームは第４の弾性コードにより互いに接続される。これにより、弾性コードの張力により、複数の個別部品を要することなく椅子を簡単に組み立てることができ、椅子を解体した後に個別部品を置き間違えることがなくなる。
【０００９】
２本の前椅子脚もしくは２本の前椅子アーム、及び／又は２本の後椅子脚及び／又は２本の後椅子アームをそれぞれ互いに接続する弾性コードは各々、有利には、それぞれの２本の椅子脚もしくは椅子アーム、及び／又は互いに接続された２本の椅子脚もしくは椅子アームのそれぞれの管状部を通るように案内され、互いに接続されたそれぞれの管状部間の前側又は後側接続要素を通るように案内され、接続要素それぞれにおいて弾性コードは、方向が曲げられる。
【００１０】
好ましくは、各々、２本の弾性コードが、前側接続要素内及び後側接続要素内に案内され、そこで曲げられ、好ましくは、第１の弾性コード及び第３の弾性コードは前側接続要素内に案内され、第２の弾性コード及び第４の弾性コードは後側接続要素内に案内される。このように、２本の前椅子脚及び２本の前椅子アームは、前側接続要素内に締結され、２本の後椅子脚及び２本の後椅子アームは、後側接続要素内に締結される。
【００１１】
特に好ましい実施形態に従えば、前椅子脚は互いに鋭角に配置される。このために、関連する鋭角は、９０度未満であり、好ましくは４０〜９０度である。同様に、後椅子脚は好ましくは、互いに鋭角に配置され、これらの２つの角度は有利には、実質的に同じ大きさであり、好ましくは５０〜８０度であり、特に好ましくは６０〜７０度である。前椅子アームも、好ましくは互いに鋭角に配置される。前椅子アーム間のこの角度は、好ましくは、前椅子脚間に規定される角度より大きく、特に好ましくは８０〜８５度である。後椅子アームも有利には、互いに鋭角に配置され、この角度は、好ましくは、前椅子アーム間に規定される角度より小さく、好ましくは４５〜５０度であり、特に後椅子アームが前椅子アームよりも長くなるように構成される場合は、該椅子が背もたれを有することになる。
【００１２】
特に好ましい実施形態に従えば、第１の前側接続要素及び第２の後側接続要素はそれぞれ、２本の椅子脚を受容するための２個の下管状スリーブと、２本の椅子アームを受容するための２個の上管状スリーブとを有する。この場合、特に好ましい実施形態は、第１の前側接続要素及び第２の後側接続要素が各々、接続要素の第１の側から第２の側に延在し、上下に配置され、第１の下側接続ロッド及び第２の上側接続ロッドを受容するためのそれぞれ２個の中心管状スリーブを有することを特徴とする。好ましくは、接続要素はそれぞれ、例えば、炭素繊維もしくはガラス繊維による繊維強化材を備えた又は備えない熱可塑性樹脂からなる、又は複合材料等からなる一体型として、又は軽量金属部品として構成される。
【００１３】
基面に向かって下向きに配向され、椅子脚を受容するのに適しているそれぞれの下管状スリーブの第１の開口部は、好ましくは、それぞれの下管状スリーブの上向きに配向される第２の開口部よりも大きい。同様に、好ましくは、座面に向かって上向きに配向され、椅子アームを受容するのに適しているそれぞれの上管状スリーブの第２の開口部は、それぞれの上管状スリーブの下向きに配向される第１の上側開口部よりも大きい。それぞれの下管状スリーブの第２の上側開口部及びそれぞれの上管状スリーブの第１の下側開口部は、各々２本の椅子脚又は２本の椅子アーム同士を接続する弾性コードを案内するのに適している。椅子アーム用の上管状スリーブは、それぞれの接続要素において互いに接続され、好ましくはその下端部が第１の下側補強リブにより接続され、その上端部が第２の上側補強リブにより接続される。この場合、椅子脚用の下管状スリーブは、好ましくは、これらの補強リブのうち少なくとも１つの上に一体的に形成され、有利には上側補強リブ及び下側補強リブの両方の上に形成される。
【００１４】
好ましくは、後椅子アームは前椅子アームよりも長い。椅子アームが織物ウェブ及び／又は布地で覆われる場合、これにより背もたれを形成することが可能になり、使用者が背中をもたれさせてそこからの負荷を軽減することができるようになる。このために、後椅子アームは好ましくは、互いに軸方向に伸縮自在であり、及び／又は（それぞれの後椅子アームの軸方向に）互いに挿入できる少なくとも２個の管状部からなる。特に好ましい実施形態に従えば、後椅子アームのこれらのそれぞれ２個の管状部は、調整要素により互いに接続される。該調整要素は好ましくは、後椅子アームの第１の下側管状部に受容される下側領域と、後椅子アームの上側管状部に受容される上側領域とを有する。好ましくは、該調整要素は、弾性コードを受容するのに適している軸方向貫通開口部及び／又は貫通穴を有する。そして、上記弾性コードは、それぞれの後椅子アームの２個の管状部を通るだけでなく、これら２個の管状部を接続する調整要素の軸方向貫通開口部も通る。
【００１５】
椅子脚は、基面に面するその自由端に終端ストップを有し、弾性コードの（第１又は第２の）自由端がその上及び／又はその中に締結される。そして、該終端ストップは、椅子脚の下端に挿入及び／又は圧入され、好ましくは下側の周回フランジが、椅子脚の管状部のための下側ストップとなる。該終端ストップは、有利には、その基面に面する端部がフット内及び／又はフット上に締結される。この場合、終端ストップは（よって、好ましくは椅子脚の最下部も）、例えば接着又は圧入によりこのフットのめくら穴に受容されそこに締結され得る。同様に、椅子アームもその自由端が各々、好ましくは終端ストップを有し、弾性コードの自由端がその中及び／又はその上にそれぞれ締結又は固定され、それぞれの椅子アームの上側終端部を形成する。
【００１６】
上記フットは、例えば、ゴムもしくはゴム混合物から、又は熱可塑性樹脂もしくは熱可塑性エラストマから構成されてもよい。また、フットは、例えば間隔を空けた放射状フィンからなるラジアルリングを有してもよく、又はディスク領域及び硬質先端部を備えるスキーストック型のディスクとして設計されてもよい。これにより、折り畳み式椅子を柔らかい地面に置くことが可能になり、リング及び／又はディスクにより、椅子脚が基面に制御不能に沈み込むことを防ぐ。というのも、基面に対するフットの支持面が広がり、一体的に形成された先端部領域により、効果的な安定性が得られるからである。
【００１７】
特に好ましい実施形態に従えば、この発明に従う椅子は、折り畳み式椅子であって、折り畳んだ状態では、椅子アーム及び椅子脚は接続ロッドに沿って延在し、又はそれぞれ接続ロッドに折り重ねるか上に折り畳んでもよく、これらの接続ロッドは好ましくは、接続要素に又は接続要素の中に取り付けられる。接続ロッドは、例えば、接着固定、リベット留及び／又は圧入されてもよく、及び／又は、例えば、横ねじによりそれぞれの接続要素に締結されてもよい。代替的に、接続ロッドはそれぞれ接続要素に取外し可能に締結されてもよく、椅子を折り畳む際に対応の管状スリーブから取外してもよい。取外し可能な接続の場合、これらの要素は好ましくは、回転によって固定されるように互いに接続される。
【００１８】
折り畳み式椅子のフレームを分解する際、それぞれの接続要素から弾性コードを引き伸ばすことでそれぞれの椅子アーム及び椅子脚を取外すが、椅子脚及び椅子アームを接続要素のまわりに置くことができるので、椅子脚及び椅子アームを少なくとも１つの接続ロッドの上に置き、その長手軸に実質的に平行に延在させ、束を形成する。この場合、少なくとも１つの接続ロッドは２個の接続要素に締結されたままである。しかしながら、該少なくとも１つの接続ロッドをそれぞれの管状スリーブから取外すことも考えられる。個々の椅子アーム及び椅子脚が接続要素の方への弾性コードの復元力により引っ張られることで、弾性コードは椅子の組立を簡素にする。
【００１９】
特に、この発明に従う実際の椅子は、例えばドリンクホルダーやバッグ等の付属品を椅子に締結するのに適した少なくとも１つの締結領域を有する。このような締結領域は、椅子のサブ構造、即ち椅子アーム及び椅子脚並びにその接続要素からなる形態の構造から独立しており、例えば、椅子に配置される補足的な留め手段により達成されてもよく、この留め手段を付属品上の補足的な対応部分に付けることができる。付属品が面ファスナ等により椅子に締結可能であれば特に好ましく、椅子は面ファスナ（Ｖｅｌｃｒｏ）帯部を有し、これに締結される付属品は補足的なフック帯片を有する（この逆でもよい）。代替的に、例えば、掛金留め又はバックル留めにより締結が行われてもよい。ドリンクホルダーの場合、その上側領域を椅子の座面の織物材料に締結することが好ましく、これに加えて、その下端部に、椅子アームに締結されるスペーサを有してもよく、これにより椅子にドリンクホルダーを立てた状態で収納することが可能になる。この好ましくは硬質のスペーサは、例えば、ドリンクホルダーに対向する端部に設けられる小穴（ｅｙｅ）又は貫通開口部により椅子アームに掛けられてもよい。これにより、ドリンクホルダーの上側領域で締結できなかった場合、ドリンクホルダーの椅子への締結をさらに確保することが可能になる。例えばドリンクホルダー等の付属品のこのような締結は、椅子のサブ構造、即ち椅子アーム及び椅子脚並びにその接続要素からなる形態の構造とは独立しているので、折り畳み式椅子の他の実施形態にも実現可能である。
【００２０】
特に、折り畳んだ椅子をしまうための収納バッグとしてバッグを提供すると便利であろう。収納バッグは、椅子の使用状態では、そのような締結手段により椅子に締結されてもよく、例えば座面の下に締結されてもよい。これは、椅子の２つの側のうちの一方又は座面の後領域に実現されてもよい。しかしながら、好ましくは、この収納バッグは、座面の前領域に、特に好ましくは座面の左側及び右側前方の角に、例えば掛金留め又はバックル留めにより締結される。このバッグは、例えば長さ調整可能ベルトにより持ち運び用バックとして使用されてもよく、中に折り畳んだ椅子を入れてもよいし入れなくてもよい。収納バッグのこのような締結又はその使用は、椅子のサブ構造、即ち椅子アーム及び椅子脚並びにその接続要素からなる形態の構造とは独立している。
さらなる例示の実施形態は従属クレームに開示される。
【図面の簡単な説明】
【００２１】
以下図面を参照してこの発明の好ましい実施形態を開示するが、これらの実施形態は説明のためにのみ供され限定的に解釈されるべきでない。
【図１】図１は、本発明の第１の好ましい実施形態に従う、可搬型椅子又は折り畳み式椅子の斜視図である。
【図２】図２は、図１の椅子フレーム（座面なしの椅子）を上から見た概略図である。
【図３】図３は、図１の椅子フレームを前から（図４の視線方向Ｖにおける入口側から）見た概略図である。
【図４】図４は、図３の椅子フレームを左から（図３の視線方向Ｘにおいて）見た概略図である。
【図５】図５は、図３の椅子フレームの分解図である。
【図６】図６は、図１の椅子の前側接続要素の様々な概略図であって、図６ａ）は、下から（基面から）見た図であり、図６ｂ）は上から（座面から）見た図であり、図６ｃ）は、前から見た図であり、図６ｄ）は後ろから（図４の視線方向Ｚにおける背もたれ側から）見た図であり、図６ｅ）は、左から見た図であり、図６ｆ）は右から（図３の視線方向Ｙにおいて）見た斜視図である。
【図７】図７は図１の椅子の後側接続要素の様々な図であって、図７ａ）は下から見た図であり、図７ｂ）は上から見た図であり、図７ｃ）は前から見た図であり、図７ｄ）は後ろから見た図であり、図７ｅ）は左から見た図であり、図７ｆ）は右から見た斜視図である。
【図８】図８において、ａ）は、図１の椅子の調整要素の概略図であり、ｂ）は図８ａ）の線Ａ−Ａに沿った断面図であり、ｃ）は図８ａ）の調整要素を上から見た概略図であり、ｄ）は図８ａの調整要素の斜視図である。
【図９】図９において、９ａ）は、図１の椅子の終端ストップを前から見た概略図であり、９ｂ）は図９ａ）の終端ストップを横から見た概略図であり、９ｃ）は、図９ａ）の線Ｂ−Ｂに沿った断面図であり、９ｄ）は図９ａ）の終端ストップを上から見た概略図であり、９ｅ）は図９ａ）の終端ストップの斜視図である。
【図１０】図１０において、１０ａ）は、図１の椅子のフットの概略図であり、１０ｂ）は図１０ａ）の線Ｃ−Ｃに沿った断面図であり、１０ｃ）は図１０ａ）のフットを下から見た概略図であり、図１０ｄ）は図１０ａ）のフットの斜視図である。
【図１１】図１１は、折り畳んだ状態の図１の椅子フレームの概略図である。
【発明を実施するための形態】
【００２２】
本発明の第１の好ましい実施形態に従う折り畳み式椅子を図１に示す。該折り畳み式椅子は、２本の前椅子脚２、３と、２本の後椅子脚４、５と、２本の前椅子アーム６、７と、２本の後椅子アーム８、９とを有する。椅子脚２、３、４、５は各々、下方を向く、又は基面１０もしくは地面を向いている自由端２ａ、３ａ、４ａ、５ａをそれぞれ有し、各脚には、例えばフェルールとして構成されてもよいフットが締結される。椅子アーム６、７、８、９は各々、基面１０から離れる、又は上方を向いている自由端６ａ、７ａ、８ｃ、９ｃをそれぞれ有する。これらの自由端６ａ、７ａ、８ｃ、９ｃにわたって座面１１が架設されており、該座面は、好ましくは、シートサポート及び背もたれを使用者に提供する。この例示の実施形態に示すように、後椅子アーム８、９が前椅子アーム６、７よりも長く構成されることにより背もたれが可能となる。図１に示す例示の実施形態では、これは、後椅子アーム８、９が複数の部品から構成されることにより実現され、２本のロッド部又は管状部が軸方向に互いに内側に挿入される。この例示の実施形態では、座面１１は織布材料から形成される。該座面は、好ましくは、天然繊維又は合成繊維からなってもよく、異なった機能（例えば通気性）又はパターンを有してもよい複数種類の材料からなる個別部分の組み合わせから形成される。この場合、織布地は、その下面側の隅に締結された小さいポケットにより椅子アーム６、７、８、９の自由端６ａ、７ａ、８ｃ、９ｃに被せられる。前椅子脚２、３及び前椅子アーム６、７は前側接続要素１２に締結され、後椅子脚４、５及び後椅子アーム８、９は後側接続要素１３に締結される。図１に示す好ましい例示の実施形態では、２個の接続要素１２、１３は、上下に互いに平行に配置される２本の接続ロッド１４、１５によりそれぞれ長手軸Ｌ１４又はＬ１５に沿って互いに接続される。
【００２３】
この場合、各接続要素１２、１３には、６個の管状スリーブ２６〜３７が締結されており、これらの管状スリーブは、椅子脚２、３もしくは４、５、又は椅子アーム６、７もしくは８、９及び接続ロッド１４、１５をそれぞれ受容する役割を担う。前側接続要素１２は、左側前椅子脚２を受容するための左側下管状スリーブ２６と、右側前椅子脚３を受容するための右側下管状スリーブ２７とを有する。同様に、前側接続要素１２は、左側前椅子アーム６を受容するための左側上管状スリーブ２８と、右側前椅子アーム７を受容するための右側上管状スリーブ２９とを有する。前椅子脚２、３及び前椅子アーム６、７を受容するための４個の管状スリーブ２６、２７、２８、２９は、プレート２０により実質的に相互に接続され、このプレートは同時に、それぞれの２個の下管状スリーブ２６と２７との間又はそれぞれの上管状スリーブ２８と２９との間の補強リブ３８、３９としての役割を担う。
【００２４】
後側接続要素１３は、左側後椅子脚４を受容するための左側下管状スリーブ３０と、右側後椅子脚５を受容するための右側下管状スリーブ３１とを有する。同様に、後側接続要素１３は、左側後椅子アーム８を受容するための左側上管状スリーブ３２と、右側後椅子アーム９を受容するための右側上管状スリーブ３３とを有する。後椅子脚４、５及び後椅子アーム８、９を受容するための４個の管状スリーブ３０、３１、３２、３３は、プレート２１により相互に実質的に接続され、このプレートは同時に、それぞれの２個の下管状スリーブ３０と３１との間又はそれぞれの上管状スリーブ３２と３３との間の補強リブ３８、３９としての役割を担う。
【００２５】
この場合、左側下管状スリーブ２６及び右側下管状スリーブ２７は、プレート２０の又は前側接続要素１２の前側２２にそれぞれ前向きに配向され、左側上管状スリーブ２８及び右側上管状スリーブ２９は、プレート２０の又は前側接続要素１２の後側２３にそれぞれ後ろ向きに配向される。これに対して、プレート２１の又は後側接続要素１３の後側２５の左側下管状スリーブ３０及び右側下管状スリーブ３１はそれぞれ後ろ向きに配向され、プレート２１の又は後側接続要素１３の前側２４の左側上管状スリーブ３２及び右側上管状スリーブ３３はそれぞれ前向きに配向される。上から見た図である図２からもわかるように、この結果、図示される例示の実施形態においては、椅子脚２、３、４、５の椅子１への連結は、椅子アーム６、７、８、９の連結よりも、椅子の周方向Ｕにおいてさらに外側に配置される。
【００２６】
さらに、各接続要素１２、１３は、上下に互いに平行に配置され、前側接続要素１２を後側接続要素１３に接続する接続ロッド１４、１５のそれぞれ一方端を受容するためのそれぞれ２個の中心管状スリーブ３４、３５又は３６、３７を有する。これらの中心管状スリーブ３４、３５又は３６、３７はそれぞれ、プレート２０、２１の延在方向に対して又はそれぞれの接続要素１２、１３のプレート２０、２１の面に対して横切るように配置され、又はある程度プレート２０、２１を貫通する。図示の例示の実施形態において、前側接続要素１２の前面２２及び後側接続要素１３の後面２５では、それぞれ中心管状スリーブ３４、３５又は３６、３７は閉じている。２本の接続ロッド１４、１５は、前側から後側に向かってそれらの長手軸Ｌ１４、Ｌ１５に沿って延在し、互いに間隔を空けて上下に配置され、中間空間４８を形成する。
【００２７】
前椅子脚２と３、後椅子脚４と５は各々、互いに、この例示の実施形態では約６０〜７０度である鋭角α１（第１の鋭角）、β１（第３の鋭角）に配置される。前椅子アーム６と７も互いに鋭角α２（第２の鋭角）に配置され、鋭角α２は、前椅子脚２と３との間に跨る角度α１よりも大きく、図３のこの例示の実施形態では８０〜８５度である。図３のこの例示の実施形態では背もたれを実質的に架設する後椅子アーム８と９とは、互いに鋭角β２（第４の鋭角）に配置され、この角度β２は、この例示の実施形態では前椅子アーム６と７との間に跨る角度α２よりも小さく、図３の例示の実施形態では４５〜５０度である。
【００２８】
図５の分解図からわかるように、各々２本の椅子脚２、３又は４、５、及び各々２本の椅子アーム６、７又は８、９はそれぞれ弾性コードにより相互に接続される。図５に示す例示の実施形態では、椅子１は、４本のそのような弾性コードを有する。この場合、椅子脚２、３、４、５又は椅子アーム６、７、８、９を通るように案内された各弾性コード１６、１７、１８、１９はそれぞれ、この時点で、同じ接続要素１２、１３に対して連結された、椅子１の周方向Ｕに対して隣接している椅子脚２、３、４、５又は椅子１の周方向Ｕに対して隣接している椅子アーム６、７、８、９に入るために、接続要素１２、１３において曲げられる。この場合、各弾性コード１６、１７、１８、１９は、２個の端部１６ａ、１６ｂ、１７ａ、１７ｂ、１８ａ、１８ｂ、１９ａ、１９ｂを有する。これらの端部の各々は、図５に示すように、終端ストップ４２に固定される。この場合、終端ストップ４２は、中空の空間及び／又は窪み４３を有する柱状部４２ａを有し、その周囲に面する側部に、周囲フランジ４２を有する基部が設けられており、該周囲フランジ４２は、それぞれの椅子脚又は椅子アームの端部に当接し、それぞれの椅子脚又は椅子アームの管状部を閉鎖する。弾性コード１６、１７、１８、１９は、その２つの端部１６ａ、１６ｂ、１７ａ、１７ｂ、１８ａ、１８ｂ、１９ａ、１９ｂが、例えば、図９に示すように、組立て時に終端ストップ４２の窪み４３に挿入され、窪み４３のテーパー状部分に嵌る結び目を有し、弾性コードは、テーパー状の窪みからそれぞれの管状部に差し込むことができる。
【００２９】
椅子アーム６、７、８、９上の終端ストップ４２は、椅子アーム６、７、８、９それぞれの終端部又は上端部を形成する。さらに、フット４４が、終端ストップ４２によって閉鎖される椅子脚２、３、４、５それぞれの端部を介して椅子脚２、３、４、５に装着される。この場合、椅子脚２、３、４、５の端部は、フットのめくら穴４７に受容され、例えば接着固定又は圧着により中に締結される。また、図１０に示すフット４４は、椅子１を基面１０に支持するための先端部４６を有する。また、フット４４は、互いに一定の間隔が空けられ径方向外側に延在し基面１０に対するフット４４の支持面を拡大する複数個の放射状フィン４５からなるリングを有する。これは、先端部４６が地面に沈み込む、例えば森林の土等の柔らかい物に特に有用である。フットの形状及び設計は様々に構成することが可能であり、地面の種類によって置換可能に構成してよい。
【００３０】
図示の例示の実施形態では、後椅子アーム８、９は各々、上記のように特に図５の分解図に明瞭に示すように、２個の管状部８ａ、８ｂ又は９ａ、９ｂからそれぞれ構成される。上記管状部は各々、調整要素４１により互いに接続され、調整要素４１は各々、上部４１ｂ及び下部４１ａを有する。この場合、調整要素４１の上部４１ｂは上側管状部８ｂ、９ｂに挿入され、下部４１ａはそれぞれの後椅子アーム８、９の下側管状部８ａ、９ａに挿入される。上部４１ｂの直径は下部４１ａの直径よりも大きいので、下側管状部８ａ、９ａはその上端部が、調整要素４１の上部４１ｂの方に向かって肩部４１ｄに当接するようになる。
【００３１】
図５及び図８に示す例示の実施形態では、下部４１ａは、接着結合により下側管状部８ａ、９ａそれぞれに締結する場合にグリップを向上させるためのうね状領域４１ｃ又はうねを有する。調整要素４１の上端部及び下端部は若干円錐状に延在するように構成される。弾性コード１９をそれぞれの調整要素４１を通って案内できるように、調整要素は、弾性コード１９の直径よりほんのわずかに大きい直径を有する、軸方向の貫通開口及び／又は貫通穴４９を有する。
【００３２】
前側接続要素１２をより詳細に図６に示し、後側接続要素１３をより詳細に図７に示す。
【００３３】
各接続要素１２、１３は、それぞれ６個の管状スリーブ２６、２７、２８、２９、３４、３５又は３０、３１、３２、３３、３６、３７を備えるいわば結節状要素の態様で形成される。この場合、椅子アーム６、７、８、９のための上管状スリーブ２８、２９、３２、３３は、その下端部が、第１の又は下側補強リブ３８によりそれぞれ互いに接続され、その上端部が第２の又は上側補強リブ３９によりそれぞれ互いに接続される。椅子脚２、３、４、５のための下管状スリーブ２６、２７、３０、３１は、これらの補強リブ３８、３９にいわば一体的に形成される。椅子脚２、３、４、５のための管状スリーブ２６、２７、３０、３１は、それぞれの上側補強リブ３９を貫通する。その結果、管状スリーブ２６、２７、３０、３１それぞれの上端部は、管状スリーブ２６、２７、３０、３１それぞれの下端部に対して、それぞれの上側補強リブ３９の反対側に当接する。よって、前椅子脚管状スリーブ２６、２７の上側開口部２６ｂ、２７ｂは、前側接続要素１２の後面２３上に配置され、下側開口部２６ａ、２７ａは、前側接続要素１２の前面２２上に配置される。後椅子脚管状スリーブ３０、３１の上側開口部３０ｂ、３１ｂは、後側接続要素１３の前面２４上に、下側開口部３０ａ、３１ａは後面２５上に対応して配置される。換言すれば、前側及び後側接続要素１２、１３の左側及び右側では各々、上管状スリーブ２８、２９、３２、３３が下管状スリーブ２６、２７、３０、３１に交差する。
【００３４】
接続要素１２、１３は、（補強リブを形成する）プレート２０、２１から形成され、６個の管状スリーブがその上に一体的に形成される外観を有し、プレートは、それぞれ椅子アーム６、７、８、９が角度α２又はβ２で架設される平面において、接続ロッド１４、１５の延長方向Ｌ１４、Ｌ１５に対して横切るように実質的に延在する。この場合、プレート２０、２１は、実質的に扇形の形状を有する。
【００３５】
２個の中心管状スリーブ３４と３５との間にいわゆるウェブとして構成される補強リブ４０は、図６ｄに見てとれ、上記補強リブは、接続ロッド１４、１５の長手軸に対して実質的に横切るように、第１の前側接続要素１２の後面２３上に延在する。同様に、図７ｃにおいて、補強リブ４０は、接続ロッド１４、１５の長手軸Ｌ１４、Ｌ１５に対して実質的に横切るように、第２の後側接続要素１３の前面２４上に、２個の中心管状スリーブ３４と３５との間に延在する。
【００３６】
以下、弾性コード１７のこのような経路を２本の後椅子脚４、５を参照して例として説明するが、他の３本の弾性コード１６、１８、１９の経路も同様である（ただし、弾性コード１９は、他のものよりも長く、後椅子アーム８、９のそれぞれ２個の管状部８ａ、８ｂ及び／又は９ａ、９ｂを通り、それらの間に調整要素を介して延在する）。
【００３７】
図５の分解図に見てとれるように、弾性コード１７は、左側後椅子脚４の終端ストップ４２にその第１の端部１７ａが固定され、後椅子脚の管状部を通る。後側接続要素１３において後椅子脚４は、左側下管状スリーブ３０の下側開口部３０ａに挿入され（図７に詳細に示す）、弾性コード１７は、上側開口部３０ｂを通って後側接続要素１３から出て、その方向が曲げられ、右側下管状スリーブ３１の上側開口部３１ｂを通って右側後椅子脚５の管状部の中に入る。次に、弾性コード１７は、右側後椅子脚５を通ってから、その第２の端部１７ｂが右側後椅子脚５の終端ストップ４２に再び固定される。
【００３８】
図１１において、この発明に従う椅子１は、折り畳んだ状態で示される。椅子１を折り畳む場合、２本の接続ロッド１４、１５をそれぞれの接続要素１２、１３に接続した状態で、２本の椅子脚２、３／４、５及び椅子アーム６、７／８、９をそれぞれの管状スリーブ２６、２７／２８、２９／３０、３１／３２、３３から引き抜き、接続ロッド１４、１５の長手軸Ｌ１４、Ｌ１５に対して平行に置く。まとめる際は、椅子アーム８、９のそれぞれの上側管状部８ｂ、９ｂをそれぞれの調整要素４１から分離することで、椅子アーム８、９の上側管状部８ｂ、９ｂと下側管状部８ａ、９ａとを、互いにさらに分離する。この場合、それぞれの下側管状部８ａ、９ａ及び調整要素の下側領域４１ａは、下側管状部８ａ、９ａの中に残っている。
【符号の説明】
【００３９】
１  折り畳み式椅子
２  左側前椅子脚
２ａ  ２の自由端
３  右側前椅子脚
３ａ  ３の自由端
４  左側後椅子脚
４ａ  ４の自由端
５  右側後椅子脚
５ａ  ５の自由端
６  左側前椅子アーム
６ａ  ６の自由端
７  右側前椅子アーム
７ａ  ７の自由端
８  左側後椅子アーム
８ａ  ８の第１の下側管状部
８ｂ  ８の第２の上側管状部
８ｃ  ８の自由端
９  右側後椅子アーム
９ａ  ９の第１の下側管状部
９ｂ  ９の第２の上側管状部
９ｃ  ９の自由端
１０  基面
１１  座面
１２  第１の前側接続要素
１３  第２の後側接続要素
１４  第１の下側接続ロッド
１５  第２の上側接続ロッド
１６  第１の弾性コード
１６ａ  １６の第１の端部
１６ｂ  １６の第２の端部
１７  第２の弾性コード
１７ａ  １７の第１の端部
１７ｂ  １７の第２の端部
１８  第３の弾性コード
１８ａ  １８の第１の端部
１８ｂ  １８の第２の端部
１９  第４の弾性コード
１９ａ  １９の第１の端部
１９ｂ  １９の第２の端部
２０  １２のプレート
２１  １３のプレート
２２  １２の第１の前側
２３  １２の第２の後側
２４  １３の第１の前側
２５  １３の第２の後側
２６  １２の左側下管状スリーブ
２６ａ  ２６の第１の下側開口部
２６ｂ  ２６の第２の上側開口部
２７  １２の右側下管状スリーブ
２７ａ  ２７の第１の下側開口部
２７ｂ  ２７の第２の上側開口部
２８  １２の左側上管状スリーブ
２８ａ  ２８の第１の下側開口部
２８ｂ  ２８の第２の上側開口部
２９  １２の右側上管状スリーブ
２９ａ  ２９の第１の下側開口部
２９ｂ  ２９の第２の上側開口部
３０  １３の左側下管状スリーブ
３０ａ  ３０の第１の下側開口部
３０ｂ  ３０の第２の上側開口部
３１  １３の右側下管状スリーブ
３１ａ  ３１の第１の下側開口部
３１ｂ  ３１の第２の上側開口部
３２  １３の左側上管状スリーブ
３２ａ  ３２の第１の下側開口部
３２ｂ  ３２の第２の上側開口部
３３  １３の右側上管状スリーブ
３３ａ  ３３の第１の下側開口部
３３ｂ  ３３の第２の上側開口部
３４  １４のための１２の下側中心管状スリーブ
３５  １５のための１２の上側中心管状スリーブ
３６  １４のための１３の下側中心管状スリーブ
３７  １５のための１３の上側中心管状スリーブ
３８  下側補強リブ
３９  上側補強リブ
４０  中心補強リブ
４１  調整要素
４１ａ  ４１の下側領域
４１ｂ  ４１の上側領域
４１ｃ  ４１ａのうね状領域
４１ｄ  ４１ａと４１ｂとの間の肩部
４２  終端ストップ
４２ａ  ４２の柱状領域
４２ｂ  ４２の周囲フランジ
４３  ４２における窪み
４４  フット
４５  ４４のフィン
４６  ４４の先端部
４７  ４４におけるめくら穴
４８  １４と１５との間の中間空間
４９  ４１の軸方向貫通開口部
α１  ２と３との間の第１の鋭角
α２  ６と７との間の第２の鋭角
β１  ４と５との間の第３の鋭角
β２  ８と９との間の第４の鋭角
Ｌ２  ２、２６の長手軸
Ｌ３  ３、２７の長手軸
Ｌ４  ４、３０の長手軸
Ｌ５  ５、３１の長手軸
Ｌ６  ６、２８の長手軸
Ｌ７  ７、２９の長手軸
Ｌ８  ８、３２の長手軸
Ｌ９  ９、３３の長手軸
Ｌ１４  １４の長手軸
Ｌ１５  １５の長手軸
Ｕ  １の周方向
Ｕ  １の周方向
Ｖ  前から見た方向
Ｘ  左側から見た方向
Ｙ  右側から見た方向
Ｚ  後ろから見た方向
【図１】
0006665174.tif 000002
【図２】
0006665174.tif 000003
【図３】
0006665174.tif 000004
【図４】
0006665174.tif 000005
【図５】
0006665174.tif 000006
【図６ａ）】
0006665174.tif 000007
【図６ｂ）】
0006665174.tif 000008
【図６ｃ）】
0006665174.tif 000009
【図６ｄ）】
0006665174.tif 000010
【図６ｅ）】
0006665174.tif 000011
【図６ｆ）】
0006665174.tif 000012
【図７ａ）】
0006665174.tif 000013
【図７ｂ）】
0006665174.tif 000014
【図７ｃ）】
0006665174.tif 000015
【図７ｄ）】
0006665174.tif 000016
【図７ｅ）】
0006665174.tif 000017
【図７ｆ）】
0006665174.tif 000018
【図８ａ）】
0006665174.tif 000019
【図８ｂ）】
0006665174.tif 000020
【図８ｃ）】
0006665174.tif 000021
【図８ｄ）】
0006665174.tif 000022
【図９ａ）】
0006665174.tif 000023
【図９ｂ）】
0006665174.tif 000024
【図９ｃ）】
0006665174.tif 000025
【図９ｄ）】
0006665174.tif 000026
【図９ｅ）】
0006665174.tif 000027
【図１０ａ）】
0006665174.tif 000028
【図１０ｂ）】
0006665174.tif 000029
【図１１】
0006665174.tif 000030